(57)【特許請求の範囲】
【請求項１】
移動端末のユーザの宅内設備である網接続装置を介してネットワーク網に接続すると共に、自身がカバーするセル中に位置する移動端末との間で無線通信を行う無線基地局を管理する管理装置であって、
前記無線基地局を識別するための第１識別情報と当該無線基地局が接続されている前記網接続装置を識別するための第２識別情報との対応付けを登録している対応情報を記憶する記憶部と、
前記無線基地局から通知される、前記無線基地局の前記第１識別情報及び当該無線基地局が接続されている前記網接続装置の前記第２識別情報を取得する取得部と、
前記記憶部が記憶する前記対応情報並びに前記取得部が取得する前記第１及び第２識別情報に基づいて、前記無線基地局の認証を行う処理部と
を備え、
前記処理部は、前記無線基地局の認証が成功した場合に、前記取得部が取得する前記第１及び第２識別情報を用いて、前記対応情報を更新する
ことを特徴とする管理装置。
【請求項２】
前記処理部は、前記無線基地局の認証が成功した場合に、前記取得部が取得し且つ前記対応情報に含まれている前記第２識別情報に対応する前記第１識別情報として前記取得部が取得する前記第１識別情報が登録されるように、前記対応情報を更新する
ことを特徴とする請求項１に記載の管理装置。
【請求項３】
前記処理部は、前記記憶部が記憶する前記対応情報内に前記取得部が取得する前記第２識別情報が登録されている場合には、前記無線基地局の認証が成功したと判定する
ことを特徴とする請求項１又は２に記載の管理装置。
【請求項４】
前記取得部は、新たな前記無線基地局が前記網接続装置に接続されることになった場合に前記新たな無線基地局から通知される、前記新たな無線基地局の前記第１識別情報及び当該新たな無線基地局が接続される前記網接続装置の前記第２識別情報を取得する
ことを特徴とする請求項１から３のいずれか一項に記載の管理装置。
【請求項５】
移動端末のユーザの宅内設備である網接続装置を介してネットワーク網に接続すると共に、自身がカバーするセル中に位置する移動端末との間で無線通信を行う無線基地局であって、
当該無線基地局を識別するための第１識別情報及び当該無線基地局が接続されている前記網接続装置を識別するための第２識別情報を収集する収集部と、
前記収集部が収集する前記第１及び前記第２識別情報を、当該無線基地局を管理する管理装置に対して通知する通知部と
を備えることを特徴とする無線基地局。
【請求項６】
移動端末のユーザの宅内設備である網接続装置と、
前記網接続装置を介してネットワーク網に接続すると共に、自身がカバーするセル中に位置する移動端末との間で無線通信を行う無線基地局と、
前記無線基地局を管理する管理装置と
を備える通信システムであって、
前記無線基地局は、
前記無線基地局を識別するための第１識別情報及び当該無線基地局が接続される前記網接続装置を識別するための第２識別情報を、前記管理装置に対して通知する通知部と
を備え、
前記管理装置は、
前記第１識別情報と前記第２識別情報との対応付けを示す対応情報を記憶する記憶部と、
前記無線基地局から通知される前記第１識別情報及び前記第２識別情報を取得する取得部と、
前記記憶部が記憶する前記対応情報並びに前記取得部が取得する前記第１及び第２識別情報に基づいて、前記無線基地局の認証を行う処理部と
を備え、
前記処理部は、前記無線基地局の認証が成功した場合には、前記取得部が取得する前記第１及び第２識別情報を用いて、前記対応情報を更新する
ことを特徴とする通信システム。
【請求項７】
移動端末のユーザの宅内設備である網接続装置を介してネットワーク網に接続すると共に、自身がカバーするセル中に位置する移動端末との間で無線通信を行う無線基地局を管理する管理装置であって且つ前記無線基地局を識別するための第１識別情報と当該無線基地局が接続されている前記網接続装置を識別するための第２識別情報との対応付けを示す対応情報を記憶する記憶部を備える管理装置による前記無線基地局の管理方法であって、
前記無線基地局から通知される、前記無線基地局の前記第１識別情報及び当該無線基地局が接続される前記網接続装置の前記第２識別情報を取得する取得工程と、
前記記憶部が記憶する前記対応情報並びに前記取得工程において取得される前記第１及び第２識別情報に基づいて、前記無線基地局の認証を行う処理工程と
を備え、
前記処理工程は、前記無線基地局の認証が成功した場合には、前記取得部が取得する前記第１及び第２識別情報を用いて、前記対応情報を更新する
を備えることを特徴とする管理方法。
【発明の詳細な説明】
【技術分野】
【０００１】
本発明は、例えば無線基地局等の通信局を管理する管理装置及び管理方法、無線基地局等の通信局、並びにこのような管理装置及び通信局を備える通信システムの技術分野に関する。
【背景技術】
【０００２】
携帯電話システム等の通信システムで使用される基地局として、カバーエリア（つまり、セル半径）が数メートルから十数メートルないしは数十メートル程度となる極めて小規模な基地局が提案されている。このような小規模な基地局はフェムトセル基地局（例えば、Ｈｏｍｅ  ＮｏｄｅＢ（或いは、ＨＮＢ））と呼ばれ、このような小規模な基地局によって形成されるセルは、「フェムトセル」と呼ばれている。フェムトセル基地局は、家庭内又はオフィス内などの携帯電話の不感地帯をカバーすることができる。フェムトセル基地局は、宅内のホームゲートウェイ（例えば、光ホームゲートウェイやｘＤＳＬ（x Digital Subscriber Line）モデム等）に接続される。その結果、フェムトセル基地局は、ブロードバンドネットワーク網を介して携帯電話ネットワーク網に接続する。
【先行技術文献】
【特許文献】
【０００３】
【特許文献１】特開２０１０−１９９７３８号公報
【発明の概要】
【発明が解決しようとする課題】
【０００４】
フェムトセル基地局は、例えば、フェムトセル基地局を管理している管理装置によって、フェムトセル基地局に固有の機番情報を用いて管理される。機番情報は、フェムトセル基地局が携帯電話ネットワーク網に接続するための接続情報として利用される。
【０００５】
フェムトセル基地局の故障時には、フェムトセル基地局の交換によって対応することがある。この場合、フェムトセル基地局を管理している管理装置は、自身が管理している機番情報を、交換後のフェムトセル基地局の機番情報に更新する。機番情報の更新は、フェムトセル基地局を交換している現場作業員や管理装置の運用担当者等によって（つまり、人手によって）で行われる。
【０００６】
しかしながら、管理装置が管理している機番情報を人手によって更新することで、以下に示す技術的な問題点が生ずる。具体的には、現場作業員は、交換用の新たなフェムトセル基地局をユーザ宅に持ち込むことで、故障した古いフェムトセル基地局と交換する。従って、現場作業員は、フェムトセル基地局を管理する管理装置の運用担当者に対して、電話連絡によって更新後の（つまり、変更後の）機番情報を伝えることで、管理装置が管理している機番情報を更新する方法が考えられる。しかしながら、フェムトセル基地局が設置されているユーザ宅がマンション高層階や地下等の電波不感地である場合には、現場作業員がユーザ宅内から携帯電話を利用して運用担当者に連絡することができないという技術的な問題点が生じ得る。その結果、フェムトセル基地局の交換を適切にないしは迅速に行うことができなくなってしまいかねない。
【０００７】
尚、フェムトセル基地局に限らず、任意の通信局（例えば、任意の通信端末や任意の通信装置等）であっても、当該通信局を交換する場合には、同様の技術的な問題点が生じかねない。
【０００８】
本発明が解決しようとする課題には上記のようなものが一例として挙げられる。本発明は、例えば管理装置によって管理されている通信局等を適切に交換することを可能とならしめる管理装置及び管理方法、通信局、並びに通信システムを提供することを目的とする。
【課題を解決するための手段】
【０００９】
開示の管理装置は、網接続装置を介してネットワーク網に接続する通信局を管理する管理装置であって、記憶部と、取得部と、処理部とを備える。記憶部は、通信局を識別するための第１識別情報と当該通信局が接続されている網接続装置を識別するための第２識別情報との対応付けを登録している対応情報を記憶する。取得部は、通信局から通知される、通信局の第１識別情報及び当該通信局が接続されている網接続装置の第２識別情報を取得する。処理部は、記憶部が記憶する対応情報並びに取得部が取得する第１及び第２識別情報に基づいて、通信局の認証を行う。処理部は、通信局の認証が成功した場合に、取得部が取得する第１及び第２識別情報を用いて、対応情報を更新する。
【００１０】
開示の通信局は、網接続装置を介してネットワーク網に接続する通信局であって、収集部と、通知部とを備える。収集部は、通信局を識別するための第１識別情報及び当該通信局が接続されている網接続装置を識別するための第２識別情報を収集する。通知部は、収集部が収集する第１及び前記第２識別情報を、当該通信局を管理する管理装置に対して通知する。
【００１１】
開示の通信システムは、網接続装置と、網接続装置を介してネットワーク網に接続する通信局と、通信局を管理する管理装置とを備える。通信局は、通信局を識別するための第１識別情報及び当該通信局が接続される網接続装置を識別するための第２識別情報を、管理装置に対して通知する通知部を備える。管理装置は、上述した管理装置と同じである。
【００１２】
開示の管理方法は、網接続装置を介してネットワーク網に接続する通信局を管理する管理装置であって且つ通信局を識別するための第１識別情報と当該通信局が接続されている網接続装置を識別するための第２識別情報との対応付けを示す対応情報を記憶する記憶部を備える管理装置による通信局の管理方法である。管理方法は、取得工程と、処理工程とを備える。取得工程では、通信局から通知される、通信局の第１識別情報及び当該通信局が接続される網接続装置の第２識別情報が取得される。処理工程では、記憶部が記憶する対応情報並びに取得工程において取得される第１及び第２識別情報に基づいて、通信局の認証が行われる。処理工程では、通信局の認証が成功した場合には、取得部が取得する第１及び第２識別情報を用いて、対応情報が更新される。
【発明の効果】
【００１３】
以上説明した管理装置及び管理方法、並びに通信局及び通信システムによれば、管理装置によって管理されている通信局等を適切に交換することができる。
【図面の簡単な説明】
【００１４】
【図１】本実施形態の通信システムの基本構成を概念的に示すブロック図である。
【図２】フェムトセル基地局の構成を示すブロック図である。
【図３】ホームゲートウェイの構成を示すブロック図である。
【図４】フェムトセル用ネットワーク装置の構成を示すブロック図である。
【図５】本実施形態の通信システムの動作の流れを示すフローチャートである。
【図６】ホームゲートウェイのＭＡＣアドレスとフェムトセル基地局の機番情報とを対応付けて記録するアドレスデータベースのデータ構造を示すデータ構造図である。
【発明を実施するための形態】
【００１５】
以下、本発明を実施するための形態を、図面に基づいて説明する。尚、以下の説明では、通信局の一例として、フェムトセル基地局を用いて説明を進める。しかしながら、フェムトセル基地局以外の任意の通信局（例えば、通信端末ないしは通信装置等）が用いられてもよい。
【００１６】
（１）通信システム
図１を参照して、本実施形態の通信システム１の基本構成について説明する。図１は、本実施形態の通信システム１の構成の一例を示すブロック図である。
【００１７】
図１に示すように、本実施形態の通信システム１は、フェムトセル基地局１００と、ホームゲートウェイ（ＨＧＷ：Home Gate Way）２００と、ブロードバンドネットワーク網３００と、フェムトセル用ネットワーク装置（以降、“ネットワーク装置”と称する）４００と、携帯電話ネットワーク網５００と、移動端末６００とを備える。
【００１８】
尚、図１は、通信システム１が１つのフェムトセル基地局１００を備える例について説明している。しかしながら、通信システム１が２つ以上のフェムトセル基地局１００を備えていてもよい。また、図１は、フェムトセル基地局１００がネットワーク装置４００を介して携帯電話ネットワーク５００に接続する例について説明している。しかしながら、フェムトセル基地局１００は、ネットワーク装置４００を介することなく携帯電話ネットワーク５００に接続してもよい。
【００１９】
フェムトセル基地局１００は、セル半径が概ね数ｍから十数ｍないしは数十ｍとなるフェムトセルをカバーする基地局（いわゆる、ホーム基地局）である。フェムトセル基地局１００は、自身がカバーするフェムトセル中に位置する移動端末６００との間で無線通信を行う。つまり、フェムトセル基地局１００は、自身がカバーするフェムトセル中に位置する移動端末６００との間で通信コネクションを確立すると共に、実際に無線通信を行う。尚、３ＧＰＰ（3rd Generation Partnership Project）では、フェムトセル基地局は、ＨｅＮＢ（Ｈｏｍｅ  ｅ  ＮｏｄｅＢ）と称されている。
【００２０】
フェムトセル基地局１００は、ユーザ（例えば、移動端末６００のユーザ）の宅内設備（具体的には、ホームゲートウェイ２００）及び当該宅内設備に接続されるブロードバンドネットワーク網３００を介して、上位局と接続する。尚、上位局としては、例えば、無線ネットワーク制御装置（ＲＮＣ：Radio Network Controller）や、加入者交換機、中継交換機及び関門交換機等を含むコアネットワークや、移動管理エンティティ（ＭＭＥ：Mobile Management Entity）及びゲートウェイ（ＧＷ：Gate Way）等を含む発展型パケットコアシステム（ＥＰＣ：Evolved Packet Core）等が一例としてあげられる。
【００２１】
ホームゲートウェイ２００は、フェムトセル基地局１００とブロードバンドネットワーク網３００とを接続する宅内設備である。ホームゲートウェイ２００は、フェムトセル基地局１００とブロードバンドネットワーク網３００との間の通信を中継する。従って、ホームゲートウェイ２００は、フェムトセル基地局１００から送信される情報を受信すると共に、当該受信した情報をブロードバンドネットワーク網３００に対して送信する。同様に、ホームゲートウェイ２００は、ブロードバンドネットワーク網３００から送信される情報を受信すると共に、当該受信した情報をフェムトセル基地局１００に対して送信する。
【００２２】
ホームゲートウェイ２００とフェムトセル基地局１００との間の回線は、有線回線（又は、有線ネットワーク）であるが、その少なくとも一部が無線回線（又は、無線ネットワーク）であってもよい。同様に、ホームゲートウェイ２００とブロードバンドネットワーク網３００との間の回線は、有線回線（又は、有線ネットワーク）であるが、その少なくとも一部が無線回線（又は、無線ネットワーク）であってもよい。ホームゲートウェイ２００として、例えば、光ゲートウェイやｘＤＳＬ（x Digital Subscriber Line）モデム等が一例としてあげられる。
【００２３】
ブロードバンドネットワーク網３００は、ホームゲートウェイ２００とネットワーク装置４００とを接続するネットワーク網である。尚、ブロードバンドネットワーク網３００として、例えばｘＤＳＬ網等のメタル回線網や、光ファイバ網等の光回線網が一例としてあげられる。
【００２４】
ネットワーク装置４００は、フェムトセル基地局１００を管理する管理装置である。ネットワーク装置４００は、ブロードバンドネットワーク網３００及び携帯電話ネットワーク網５００の双方に接続されている。ネットワーク装置４００とブロードバンドネットワーク網３００との間の回線は、有線回線（又は、有線ネットワーク）であるが、その少なくとも一部が無線回線（又は、無線ネットワーク）であってもよい。同様に、ネットワーク装置４００と携帯電話ネットワーク網５００との間の回線は、有線回線（又は、有線ネットワーク）であるが、その少なくとも一部が無線回線（又は、無線ネットワーク）であってもよい。但し、ネットワーク装置４００は、フェムトセル基地局１００との間で通信を行うことができるのであれば、ブロードバンドネットワーク網３００に接続されていなくともよいし、携帯電話ネットワーク網５００に接続されていなくともよい。
【００２５】
携帯電話ネットワーク網５００は、移動端末６００から送信される情報（例えば、パケットや音声等）が他の移動端末６００に向けて送信されるネットワーク網である。携帯電話ネットワーク網５００として、例えば、無線ネットワーク制御装置（ＲＮＣ：Radio Network Controller）や、加入者交換機、中継交換機及び関門交換機等を含むコアネットワークや、移動管理エンティティ（ＭＭＥ：Mobile Management Entity）及びゲートウェイ（ＧＷ：Gate Way）等を含む発展型パケットコアシステム（ＥＰＣ：Evolved Packet Core）等が一例としてあげられる。
【００２６】
移動端末６００は、自身が位置するフェムトセルに対応するフェムトセル基地局１００との間で通信コネクションを確立すると共に、情報の送受信を行う移動端末である。移動端末６００は、フェムトセル基地局１００を介して、各種サービスないしはアプリケーション（例えば、メールサービスや、音声通話サービスや、ＷＥＢ閲覧サービスや、パケット通信サービス等）を利用することができる。或いは、移動端末６００は、フェムトセル基地局以外の不図示の任意の基地局を介して、各種サービスないしはアプリケーションを利用してもよい。
【００２７】
（２）フェムトセル基地局の構成
図２を参照して、本実施形態のフェムトセル基地局１００の構成について説明する。図２は、本実施形態のフェムトセル基地局１００の構成を示すブロック図である。
【００２８】
図２に示すように、フェムトセル基地局１００は、ＣＰＵ（Central Processing Unit）１１０と、メモリ１２０と、無線通信インタフェース部１３０と、有線通信インタフェース部１４０と、データバス１５０とを備えている。
【００２９】
ＣＰＵ１１０は、所定のファームウェア等に基づいて動作する制御回路であって、フェムトセル基地局１００全体の動作を制御する。
【００３０】
ＣＰＵ１１０は、その内部に実現される物理的な、論理的な又は機能的な処理ブロックとして、アドレス収集部１１１と、認証処理部１１２とを備える。
【００３１】
アドレス収集部１１１は、フェムトセル基地局１００が接続しているホームゲートウェイ２００のＭＡＣ（Media Access Control）アドレスを収集する。更に、アドレス収集部１１１は、フェムトセル基地局１００に固有に割り当てられる機番情報（言い換えれば、フェムトセル基地局ＩＤ）を収集する。
【００３２】
認証処理部１１２は、ネットワーク装置４００に対して、フェムトセル基地局１００の使用の可否を問い合わせる認証要求を行う。認証処理部１１１は、認証要求を行う際に、アドレス収集部１１１が収集したホームゲートウェイ２００のＭＡＣアドレス及びフェムトセル基地局１００の機番情報を含む認証情報を、ネットワーク装置４００に送信する。
【００３３】
メモリ１２０は、フェムトセル基地局１００内部で使用する情報を一時的に格納したり、フェムトセル基地局１００としての動作を行うためのプログラム（即ち、ファームウェア）を格納したりする。メモリ１２０は、その内部に、機番情報を格納している。
【００３４】
無線通信インタフェース部１３０は、移動端末６００との間に確立される通信コネクションを終端する。従って、無線通信インタフェース部１３０は、移動端末６００との間の情報の送受信（言い換えれば、無線通信）を行う。
【００３５】
有線通信インタフェース部１４０は、ホームゲートウェイ２００との間に確立される通信コネクションを終端する。従って、有線通信インタフェース部１４０は、ホームゲートウェイ２００との間の情報の送受信（言い換えれば、有線通信）を行う。
【００３６】
データバス１５０は、ＣＰＵ１１０と、メモリ１２０と、無線通信インタフェース部１３０、有線通信インタフェース部１４０との間の情報の伝送を行う。
【００３７】
（３）ホームゲートウェイの構成
図３を参照して、本実施形態のホームゲートウェイ２００の構成について説明する。図３は、本実施形態のホームゲートウェイ２００の構成を示すブロック図である。
【００３８】
図３に示すように、ホームゲートウェイ２００は、ＣＰＵ２１０と、メモリ２２０と、有線通信インタフェース部２３０と、有線通信インタフェース部２４０と、データバス２５０とを備えている。
【００３９】
ＣＰＵ２１０は、所定のファームウェア等に基づいて動作する制御回路であって、ホームゲートウェイ２００全体の動作を制御する。
【００４０】
メモリ２２０は、ホームゲートウェイ２００内部で使用する情報を一時的に格納したり、ホームゲートウェイ２００としての動作を行うためのプログラム（即ち、ファームウェア）を格納したりする。メモリ２２０は、更に、ホームゲートウェイ２００がブロードバンドネットワーク網３００に接続する際に使用する情報を格納していてもよい。
【００４１】
有線通信インタフェース部２３０は、フェムトセル基地局１００との間に確立される通信コネクションを終端する。従って、有線通信インタフェース部２３０は、フェムトセル基地局１００との間の情報の送受信（言い換えれば、有線通信）を行う。
【００４２】
有線通信インタフェース部２４０は、ブロードバンドネットワーク網３００を介してネットワーク装置４００との間に確立される通信コネクションを終端する。従って、有線通信インタフェース部２４０は、ブロードバンドネットワーク網３００を介したネットワーク装置４００との間との間の情報の送受信（言い換えれば、有線通信）を行う。
【００４３】
データバス２５０は、ＣＰＵ２１０と、メモリ２２０と、有線通信インタフェース部２３０、有線通信インタフェース部２４０との間の情報の伝送を行う。
【００４４】
（４）ネットワーク装置の構成
図４を参照して、本実施形態のネットワーク装置４００の構成について説明する。図４は、本実施形態のネットワーク装置４００の構成を示すブロック図である。
【００４５】
図４に示すように、ネットワーク装置４００は、ＣＰＵ４１０と、メモリ４２０と、有線通信インタフェース部４３０と、データバス４５０とを備えている。
【００４６】
ＣＰＵ４１０は、所定のファームウェア等に基づいて動作する制御回路であって、ネットワーク装置４００全体の動作を制御する。
【００４７】
ＣＰＵ４１０は、その内部に実現される物理的な、論理的な又は機能的な処理ブロックとして、アドレス取得部４１１と、認証処理部４１２とを備える。
【００４８】
アドレス取得部４１１は、フェムトセル基地局１００が認証要求を行うときに送信する認証情報（つまり、ホームゲートウェイ２００のＭＡＣアドレス及びフェムトセル基地局１００の機番情報）を取得する。
【００４９】
認証処理部４１２は、アドレス取得部４１１が取得した認証情報及びメモリ４２０に格納されているアドレスデータベース４２１に基づいて、フェムトセル基地局１００の認証を行う。加えて、認証処理部４１２は、認証結果によっては、アドレス取得部４１１が取得した認証情報を用いて、メモリ４２０に格納されているアドレスデータベース４２１を更新する。
【００５０】
メモリ４２０は、ネットワーク装置４００内部で使用する情報を一時的に格納したり、ネットワーク装置４００としての動作を行うためのプログラム（即ち、ファームウェア）を格納したりする。
【００５１】
メモリ４２０は、その内部に、アドレスデータベース４２１を格納している。アドレスデータベース４２１は、ホームゲートウェイ２００のＭＡＣアドレスと当該ホームゲートウェイ２００に接続されているフェムトセル基地局１００の機番情報との対応付けを示すレコードを含んでいる。尚、アドレスデータベース４２１のデータ構造については、後に詳述する（図６参照）。
【００５２】
有線通信インタフェース部４３０は、ブロードバンドネットワーク網３００を介してホームゲートウェイ２００との間に確立される通信コネクションを終端する。従って、有線通信インタフェース部４３０は、ブロードバンドネットワーク網３００を介したホームゲートウェイ２００との間との間の情報の送受信（言い換えれば、有線通信）を行う。
【００５３】
尚、ネットワーク装置４００は、携帯電話ネットワーク網５００との間に（或いは、携帯電話ネットワーク網５００を介した任意の機器との間に）確立される通信コネクションを終端する有線通信インタフェース部を更に備えていてもよい。
【００５４】
データバス４５０は、ＣＰＵ４１０と、メモリ４２０と、有線通信インタフェース部４４０との間の情報の伝送を行う。
【００５５】
（５）動作説明
図５を参照して、本実施形態の通信システム１の動作の流れについて説明する。図５は、本実施形態の通信システム１の動作の流れを示すフローチャートである。
【００５６】
図５に示すように、フェムトセル基地局１００が備えるアドレス収集部１１１は、フェムトセル基地局１００が今現在接続しているホームゲートウェイ２００のＭＡＣアドレスを収集する（ステップＳ１０１）。アドレス収集部１１１は、ホームゲートウェイ２００のＬＡＮ（Local Area Network）側のＭＡＣアドレス（つまり、フェムトセル基地局１００側のＭＡＣアドレスであり、例えば、有線通信インタフェース部２３０のＭＡＣアドレス）を収集してもよい。或いは、アドレス収集部１１１は、ホームゲートウェイ２００のＷＡＮ（Wide Area Network）側のＭＡＣアドレス（つまり、ブロードバンドネットワーク網３００側のＭＡＣアドレスであり、例えば、有線通信インタフェース部２４０のＭＡＣアドレス）を収集してもよい。アドレス収集部１１１は、例えばＡＲＰ（Address Resolution Protocol）等を用いて、ホームゲートウェイ２００のＭＡＣアドレスを収集してもよい。
【００５７】
ステップＳ１０１の動作に続いて、相前後して又は並行して、フェムトセル基地局１００が備えるアドレス収集部１１１は、フェムトセル基地局１００の機番情報を収集する（ステップＳ１０２）。アドレス収集部１１１は、メモリ１２０を参照する（言い換えれば、読み取る）ことで、フェムトセル基地局１００の機番情報を収集してもよい。
【００５８】
その後、フェムトセル基地局１００が備える認証処理部１１２は、ネットワーク装置４００に対して、フェムトセル基地局１００の使用の可否を問い合わせる認証要求メッセージを送信する（ステップＳ１０３）。このとき、認証処理部１１１は、アドレス収集部１１１が収集したホームゲートウェイ２００のＭＡＣアドレス及びフェムトセル基地局１００の機番情報を含む認証情報を、ネットワーク装置４００に送信する。言い換えれば、認証処理部１１１は、アドレス収集部１１１が収集したホームゲートウェイ２００のＭＡＣアドレス及びフェムトセル基地局１００の機番情報を含む認証情報を含む認証要求メッセージを、ネットワーク装置４００に送信する。
【００５９】
尚、ステップＳ１０１からステップＳ１０３の動作は、フェムトセル基地局１００がホームゲートウェイ２００に新たに接続されることをトリガとして開始されてもよい。或いは、認証処理部１１１は、フェムトセル基地局１００の電源がＯＦＦからＯＮに切り替わったことをトリガとして、認証要求を行ってもよい。フェムトセル基地局１００がホームゲートウェイ２００に新たに接続される又はフェムトセル基地局１００の電源がＯＦＦからＯＮに切り替わる場面として、例えば、フェムトセル基地局１００の交換作業が行われている場面が一例として想定される。或いは、その他にも、例えば、フェムトセル基地局１００の移設作業が行われている場面、フェムトセル基地局１００の再起動が行われている場面、意図せずホームゲートウェイ２００との物理的な接続が切断されてしまったフェムトセル基地局１００のホームゲートウェイ２００への再接続が行われている場面等が一例として想定される。
【００６０】
或いは、ステップＳ１０１からステップＳ１０３の動作は、フェムトセル基地局１００を用いた何らかの作業を行っている作業担当者又はフェムトセル基地局１００のユーザ等の指示をトリガとして開始されてもよい。例えば、ステップＳ１０１からステップＳ１０３の動作は、フェムトセル基地局１００の交換作業を行っている作業担当者の指示をトリガとして開始されてもよい。
【００６１】
その結果、ネットワーク装置４００は、認証要求メッセージを受信する。ネットワーク装置４００が備えるアドレス取得部４１１は、認証要求メッセージ中に含まれる認証情報（つまり、ホームゲートウェイ２００のＭＡＣアドレス及びフェムトセル基地局１００の機番情報）を取得する（ステップＳ４０１）。
【００６２】
その後、ネットワーク装置４００が備える認証処理部４１２は、アドレス取得部４１１が取得した認証情報中に含まれるホームゲートウェイ２００のＭＡＣアドレスと、メモリ４２０に格納されているアドレスデータベース４２１に登録されているＭＡＣアドレスとを照合する（ステップＳ４０２）。つまり、認証処理部４１２は、アドレスデータベース４２１に、認証情報中に含まれるホームゲートウェイ２００のＭＡＣアドレスと一致するＭＡＣアドレスが登録されているか否かを照合する。
【００６３】
図６を参照して、アドレスデータベース４２１のデータ構造について説明する。図６は、ホームゲートウェイ２００のＭＡＣアドレスとフェムトセル基地局１００の機番情報とを対応付けて記録するアドレスデータベース４２１のデータ構造を示すデータ構造図である。
【００６４】
図６に示すように、アドレスデータベース４２１は、ホームゲートウェイ２００のＭＡＣアドレスと当該ホームゲートウェイ２００に接続されているフェムトセル基地局１００の機番情報とが対応付けられたレコードを、一又は複数登録している。例えば、図６に示すアドレスデータベース４２１は、「００：０１：０１：０１：０１：０１」というＭＡＣアドレスと「ＸＡＢ０１０１０１０１」という機番情報とが対応付けられたレコードを登録している。このレコードは、「ＸＡＢ０１０１０１０１」という機番情報を有するフェムトセル基地局１００が「００：０１：０１：０１：０１：０１」というＭＡＣアドレスを有するホームゲートウェイ２００に接続されていることを示す。また、例えば、図６に示すアドレスデータベース４２１は、「１０：２Ａ：３Ｆ：００：９８：ＦＦ」というＭＡＣアドレスと「ＣＸＨ２２２０００００」という機番情報とが対応付けられたレコードを登録している。このレコードは、「ＣＸＨ２２２０００００」という機番情報を有するフェムトセル基地局１００が「１０：２Ａ：３Ｆ：００：９８：ＦＦ」というＭＡＣアドレスを有するホームゲートウェイ２００に接続されていることを示す。
【００６５】
アドレスデータベース４２１には、例えばフェムトセル基地局１００が新規に使用開始される場合に、対応する新規のレコードが登録される。例えば、フェムトセル基地局１００の新規使用をユーザが申し込んだ場合に、当該新規に使用されるフェムトセル基地局１００及び当該フェムトセル基地局１００が接続するホームゲートウェイ２００のＭＡＣアドレスを含む新規のレコードが、アドレスデータベース４２１に登録される。このような新規のレコードの登録は、例えば、フェムトセル基地局１００を提供するキャリア（言い換えれば、携帯電話ネットワーク網５００を提供するキャリア）によって行われる。
【００６６】
また、アドレスデータベース４２１に登録されている既存のレコード（つまり、一旦登録された新規のレコード）は、後述する更新動作（つまり、図５に示す一連の動作であり、特にステップＳ４０４の動作）によって適宜更新される。
【００６７】
再び図５において、アドレスデータベース４２１に、認証情報中に含まれるホームゲートウェイ２００のＭＡＣアドレスと一致するＭＡＣアドレスが登録されていないと判定される場合には（ステップＳ４０３：Ｎｏ）、ネットワーク装置４００が備える認証処理部４１２は、認証情報を送信してきたフェムトセル基地局１００の認証が失敗したものと判定する。例えば、図５に示す動作が、フェムトセル基地局１００の交換をトリガとして行われている場合には、認証処理部４１２は、フェムトセル基地局１００の交換が正当なものではないと判定する。つまり、認証処理部４１２は、認証情報を送信してきたフェムトセル基地局１００の利用を許可しないことを決定する。
【００６８】
この場合、認証処理部４１２は、認証が失敗した旨を、認証情報を送信してきたフェムトセル基地局１００に対して通知する（ステップＳ４０６）。その結果、認証情報を送信してきたフェムトセル基地局１００が備える認証処理部１１２は、認証が失敗したと認識する（ステップＳ１０４：Ｎｏ）。従って、フェムトセル基地局１００は、利用可能状態に移行することができず、結果として、移動端末６００のユーザによって利用されることができない。つまり、フェムトセル基地局１００は、移動端末６００との間で通信コネクションを確立することができない。
【００６９】
他方で、アドレスデータベース４２１に、認証情報中に含まれるホームゲートウェイ２００のＭＡＣアドレスと一致するＭＡＣアドレスが登録されていると判定される場合には（ステップＳ４０３：Ｙｅｓ）、ネットワーク装置４００が備える認証処理部４１２は、認証情報を送信してきたフェムトセル基地局１００の認証が成功したものと判定する。例えば、図５に示す動作が、フェムトセル基地局１００の交換をトリガとして行われている場合には、認証処理部４１２は、フェムトセル基地局１００の交換が正当なものであると判定する。つまり、認証処理部４１２は、認証情報を送信してきたフェムトセル基地局１００の利用を許可することを決定する。
【００７０】
この場合、認証処理部４１２は、アドレスデータベース４２１に登録されている一又は複数のレコードのうち、認証情報中に含まれるホームゲートウェイ２００のＭＡＣアドレスと一致するＭＡＣアドレスを含むレコードを特定する。認証処理部４１２は、特定したレコードの機番情報を、認証情報中に含まれるフェムトセル基地局１００の機番情報で上書きする（ステップＳ４０４）。つまり、アドレスデータベース４２１に登録されている既存のレコードの更新が行われる。
【００７１】
更に、認証処理部４１２は、認証が成功した旨を、認証情報を送信してきたフェムトセル基地局１００に対して通知する（ステップＳ４０５）。その結果、認証情報を送信してきたフェムトセル基地局１００が備える認証処理部１１２は、認証が成功したと認識する（ステップＳ１０４：Ｙｅｓ）。従って、フェムトセル基地局１００は、利用可能状態に移行し（ステップＳ１０５）、移動端末６００のユーザによって利用される。つまり、フェムトセル基地局１００は、移動端末６００との間で通信コネクションを確立することができるようになる。
【００７２】
以上説明した本実施形態の通信システム１の動作について、具体的な運用例を交えながら説明する。例えば、「ＸＸ」という機番情報を有するフェムトセル基地局１００Ｘが「ｘｘ」というＭＡＣアドレスを有するホームゲートウェイ２００に接続されている状態を初期状態として想定する。この場合、「ＸＸ」という機番情報と「ｘｘ」というＭＡＣアドレスとが対応付けられたレコードが、アドレスデータベース４２１に登録されている。
【００７３】
このような初期状態において、「ＸＸ」という機番情報を有するフェムトセル基地局１００Ｘの故障に起因して、「ＸＸ」という機番情報を有するフェムトセル基地局１００Ｘを「ＹＹ」という機番情報を有する新たなフェムトセル基地局１００Ｙに交換する例について説明する。「ＹＹ」という機番情報を有する新たなフェムトセル基地局１００Ｙへの交換が完了した後、交換後のフェムトセル基地局１００Ｙは、「ＹＹ」という機番情報及び「ｘｘ」というＭＡＣアドレスを含む認証情報をネットワーク装置４００に対して送信する。この場合、認証情報に含まれる「ｘｘ」というＭＡＣアドレスは、アドレスデータベース４２１に登録されているため、交換後のフェムトセル基地局１００Ｙの認証が成功する。その後、「ＸＸ」という機番情報と「ｘｘ」というＭＡＣアドレスとが対応付けられたレコードは、認証情報に含まれる「ＹＹ」という機番情報を用いて、「ＹＹ」という機番情報と「ｘｘ」というＭＡＣアドレスとが対応付けられたレコードに更新される。
【００７４】
一方で、このような初期状態において、今までフェムトセル基地局１００が接続されたことがない又は接続が許可されていない「ｙｙ」というＭＡＣアドレスを有するホームゲートウェイ２００に、「ＸＸ」という機番情報を有するフェムトセル基地局１００Ｘを新たに接続する例について説明する。つまり、「ＸＸ」という機番情報を有するフェムトセル基地局１００Ｘを、接続が許可されているホームゲートウェイ２００とは異なるホームゲートウェイ２００に接続する例について説明する。この場合、「ＸＸ」という機番情報を有するフェムトセル基地局１００Ｘの接続が完了した後、フェムトセル基地局１００Ｘは、「ＸＸ」という機番情報及び「ｙｙ」というＭＡＣアドレスを含む認証情報をネットワーク装置４００に対して送信する。この場合、認証情報に含まれる「ｙｙ」というＭＡＣアドレスは、アドレスデータベース４２１に登録されていないため、フェムトセル基地局１００Ｘの認証が失敗する。従って、接続が許可されているホームゲートウェイ２００とは異なるホームゲートウェイ２００にフェムトセル基地局１００Ｘを接続したとしても、フェムトセル基地局１００Ｘを利用することができない。加えて、アドレスデータベース４２１は更新されない。
【００７５】
以上説明したように、本実施形態の通信システム１によれば、フェムトセル基地局１００をホームゲートウェイ２００に接続する場合には、ネットワーク装置４００は、フェムトセル基地局１００から送信される認証情報に基づいて、フェムトセル基地局１００を認証し且つアドレスデータベース４２１を更新することができる。より具体的には、例えば、フェムトセル基地局１００の故障等に伴う交換時には、ネットワーク装置４００は、交換後のフェムトセル基地局１００から送信される認証情報に基づいて、フェムトセル基地局１００を認証し且つアドレスデータベース４２１を更新することができる。つまり、ネットワーク装置４００は、フェムトセル基地局１００を交換する（又は接続する）作業担当員からの電話等による連絡等を待つことなく、フェムトセル基地局１００を管理するためのアドレスデータベース４２１を更新することができる。従って、フェムトセル基地局１００の適切なないしは迅速な交換を実現することができる。
【００７６】
更には、本実施形態の通信システム１によれば、フェムトセル基地局１００の意図しない交換（例えば、意図しないホームゲートウェイ２００への接続等）を好適に防ぐことができるという利点を有している。
【００７７】
尚、フェムトセル基地局１００は、プラグアンドプレイに対応している場合がある。プラグアンドプレイに対応しているフェムトセル基地局１００は、技術仕様上又はメーカ若しくはキャリアの都合上、ブロードバンドネットワーク網３００を終端するホームゲートウェイ２００との間の回線が光回線であることが推奨されている。これは、接続を求める際に用いられる接続情報として、光回線側のサービスである回線ＩＤを、ネットワーク装置４００等の接続先に対して通知する技術が仕様に盛り込まれているためである。つまり、光回線であり且つ回線ＩＤが通知される仕様を満たすことで、プラグアンドプレイに対応したフェムトセル基地局１００を利用することができる。ところが、フェムトセル基地局１００とホームゲートウェイ２００との間の回線がｘＤＳＬ回線等のメタル回線である場合には、光回線とは異なり、回線ＩＤが払い出されない場合がある。このため、ｘＤＳＬ回線では、回線ＩＤ以外の情報を接続情報として利用する機能又はｘＤＳＬ回線においても回線ＩＤが払い出される機能を、ネットワーク側やｘＤＳＬモデム等のホームゲートウェイ２００側に追加することが要請されるのではないかと想定される。しかるに、本実施形態によれば、このような機能を追加することなく、フェムトセル基地局１００の適切なないしは迅速な交換を実現することができる。
【００７８】
尚、図５に示す動作は、フェムトセル基地局１００とネットワーク装置４００との間で、ホームゲートウェイ２００及びブロードバンドネットワーク網３００を介した通信が行われることで実現される。このため、少なくとも図５に示す動作が実現されるためには、通信システム１は、フェムトセル基地局１００、ホームゲートウェイ２００、ブロードバンドネットワーク網３００及びネットワーク装置４００を備えていればよい。言い換えれば、少なくとも図５に示す動作が実現されるためには、通信システム１は、携帯電話ネットワーク網５００及び移動端末６００を備えていなくともよい。
【００７９】
また、図５は、ホームゲートウェイ２００のＭＡＣアドレス及びフェムトセル基地局１００の機番情報を用いて、フェムトセル基地局１００の認証を行う例を示している。しかしながら、ホームゲートウェイ２００に固有の任意の情報（例えば、ＩＰアドレスや装置ＩＤ等）ＭＡＣアドレス及びフェムトセル基地局１００に固有の任意の情報（例えば、ＩＰアドレスや装置ＩＤ等）を用いて、フェムトセル基地局１００の認証が行われてもよい。つまり、ホームゲートウェイ２００のＭＡＣアドレスに加えて又は代えて、ホームゲートウェイ２００に固有の任意の情報が用いられてもよい。同様に、フェムトセル基地局１００の機番情報に加えて又は代えて、フェムトセル基地局１００に固有の任意の情報が用いられてもよい。
【００８０】
また、図５は、フェムトセル基地局１００が認証要求を行うタイミングで、ホームゲートウェイ２００のＭＡＣアドレスの照合及びアドレスデータベース４２１の更新が行われる例を示している。しかしながら、フェムトセル基地局１００が認証要求を行うタイミング以外の任意のタイミングで、ホームゲートウェイ２００のＭＡＣアドレスの照合及びアドレスデータベース４２１の更新が行われてもよい。この場合、フェムトセル基地局１００は、認証要求メッセージとは異なるメッセージを用いて、上述した認証情報（つまり、ホームゲートウェイ２００のＭＡＣアドレス及びフェムトセル基地局１００の機番情報）をネットワーク装置４００に送信してもよい。
【００８１】
以上説明した実施形態に関して、更に以下の付記を開示する。
【００８２】
（付記１）
網接続装置を介してネットワーク網に接続する通信局を管理する管理装置であって、
前記通信局を識別するための第１識別情報と当該通信局が接続されている前記網接続装置を識別するための第２識別情報との対応付けを登録している対応情報を記憶する記憶部と、
前記通信局から通知される、前記通信局の前記第１識別情報及び当該通信局が接続されている前記網接続装置の前記第２識別情報を取得する取得部と、
前記記憶部が記憶する前記対応情報並びに前記取得部が取得する前記第１及び第２識別情報に基づいて、前記通信局の認証を行う処理部と
を備え、
前記処理部は、前記通信局の認証が成功した場合に、前記取得部が取得する前記第１及び第２識別情報を用いて、前記対応情報を更新する
ことを特徴とする管理装置。
【００８３】
（付記２）
前記処理部は、前記通信局の認証が成功した場合に、前記取得部が取得し且つ前記対応情報に含まれている前記第２識別情報に対応する前記第１識別情報として前記取得部が取得する前記第１識別情報が登録されるように、前記対応情報を更新する
ことを特徴とする付記１に記載の管理装置。
【００８４】
（付記３）
前記処理部は、前記記憶部が記憶する前記対応情報内に前記取得部が取得する前記第２識別情報が登録されている場合には、前記通信局の認証が成功したと判定する
ことを特徴とする付記１又は２に記載の管理装置。
【００８５】
（付記４）
前記取得部は、新たな前記通信局が前記網接続装置に接続されることになった場合に前記新たな通信局から通知される、前記新たな通信局の前記第１識別情報及び当該新たな通信局が接続される前記網接続装置の前記第２識別情報を取得する
ことを特徴とする付記１から３のいずれか一項に記載の管理装置。
【００８６】
（付記５）
前記処理部は、前記通信局の認証が成功していない場合に、前記取得部が取得する前記第１識別情報を用いて、前記対応情報が示す前記第２識別情報との対応付けを更新しない
ことを特徴とする付記１から４のいずれか一項に記載の管理装置。
【００８７】
（付記６）
前記処理部は、前記記憶部が記憶する前記対応情報内に前記取得部が取得する前記第２識別情報が登録されていない場合には、前記通信局の認証が成功していないと判定する
ことを特徴とする付記１から５のいずれか一項に記載の管理装置。
【００８８】
（付記７）
網接続装置を介してネットワーク網に接続する通信局であって、
当該通信局を識別するための第１識別情報及び当該通信局が接続されている前記網接続装置を識別するための第２識別情報を収集する収集部と、
前記収集部が収集する前記第１及び前記第２識別情報を、当該通信局を管理する管理装置に対して通知する通知部と
を備えることを特徴とする通信局。
【００８９】
（付記８）
網接続装置と、
前記網接続装置を介してネットワーク網に接続する通信局と、
前記通信局を管理する管理装置と
を備える通信システムであって、
前記通信局は、
前記通信局を識別するための第１識別情報及び当該通信局が接続される前記網接続装置を識別するための第２識別情報を、前記管理装置に対して通知する通知部と
を備え、
前記管理装置は、
前記第１識別情報と前記第２識別情報との対応付けを示す対応情報を記憶する記憶部と、
前記通信局から通知される前記第１識別情報及び前記第２識別情報を取得する取得部と、
前記記憶部が記憶する前記対応情報並びに前記取得部が取得する前記第１及び第２識別情報に基づいて、前記通信局の認証を行う処理部と
を備え、
前記処理部は、前記通信局の認証が成功した場合には、前記取得部が取得する前記第１及び第２識別情報を用いて、前記対応情報を更新する
ことを特徴とする通信システム。
【００９０】
（付記９）
網接続装置を介してネットワーク網に接続する通信局を管理する管理装置であって且つ前記通信局を識別するための第１識別情報と当該通信局が接続されている前記網接続装置を識別するための第２識別情報との対応付けを示す対応情報を記憶する記憶部を備える管理装置による前記通信局の管理方法であって、
前記通信局から通知される、前記通信局の前記第１識別情報及び当該通信局が接続される前記網接続装置の前記第２識別情報を取得する取得工程と、
前記記憶部が記憶する前記対応情報並びに前記取得工程において取得される前記第１及び第２識別情報に基づいて、前記通信局の認証を行う処理工程と
を備え、
前記処理工程は、前記通信局の認証が成功した場合には、前記取得部が取得する前記第１及び第２識別情報を用いて、前記対応情報を更新する
ことを特徴とする管理方法。
【００９１】
本発明は、上述した実施形態に限られるものではなく、請求の範囲及び明細書全体から読み取れる発明の要旨或いは思想に反しない範囲で適宜変更可能であり、そのような変更を伴う管理装置及び管理方法、通信局、並びに通信システムもまた本発明の技術的範囲に含まれるものである。
【符号の説明】
【００９２】
１  通信システム
１００  フェムトセル基地局
１１０  ＣＰＵ
１１１  アドレス収集部
１１２  認証処理部
１２０  メモリ
１２１  機番情報
２００  ホームゲートウェイ
３００  ブロードバンドネットワーク網
４００  フェムトセル用ネットワーク装置
４１０  ＣＰＵ
４１１  アドレス取得部
４１２  認証処理部
４２０  メモリ
４２１  アドレスデータベース
【図１】
0005569435.tif 000002
【図２】
0005569435.tif 000003
【図３】
0005569435.tif 000004
【図４】
0005569435.tif 000005
【図５】
0005569435.tif 000006
【図６】
0005569435.tif 000007